(57)【要約】  【課題】異なる無線アクセス技術ネットワークに対して又はそれらの間で、リソース利用を割り振るためにアクセス分割多重化（ＡＤＭ）環境で使用されるスケジューリング・マップを生成又は更新する。  【解決手段】異なる無線アクセス技術ネットワークに対して又はそれらの間で、特にロング・ターム・エボリューション（ＬＴＥ）ネットワーク及び広域移動通信システム（ＧＳＭ）ネットワークに対して、リソース利用（例えば、伝送時間間隔の使用）を割り振るためにアクセス分割多重化（ＡＤＭ）環境で使用するためにスケジューリング・マップ（複数も可）（４０）が生成され更新される。いくつかの実施形態例では、本明細書のスケジューリング・マップ（複数も可）、装置、及び方法は、異なる無線アクセス技術間のアクセス分割多重化に関与する無線端末に実現され、他の実施形態では、本明細書のスケジューリング・マップ（複数も可）、装置、及び方法は、無線アクセス技術ネットワークのうちの１つ、例えば、ロング・ターム・エボリューション（ＬＴＥ）ネットワークのネットワーク・ノード（例えば、ｅＮｏｄｅＢ）に実現される。【選択図】図５
2013514709.tif 000002
【特許請求の範囲】
【請求項１】
回線交換（ＣＳ）広域移動通信システム（ＧＳＭ）ネットワーク及びロング・ターム・エボリューション（ＬＴＥ）ネットワークの両方に対する無線インターフェース（３２）によるインターリーブ伝送のための装置（２８、３０）であって、前記装置がスケジューリング・マップ（４０）を生成するように構成され、前記スケジューリング・マップが、前記回線交換（ＣＳ）広域移動通信システム（ＧＳＭ）ネットワーク及び前記ロング・ターム・エボリューション（ＬＴＥ）ネットワークのうちの少なくとも一方に、無線端末との間のデータ伝送に使用できる時間間隔を通知するように構成され、
前記スケジューリング・マップの長さが前記ロング・ターム・エボリューション（ＬＴＥ）ネットワークの６０又は１２０個の伝送時間間隔の倍数であることを特徴とする、装置。
【請求項２】
前記無線インターフェース（３２）による前記インターリーブ伝送を容易にするように構成された通信インターフェース（５２、４２）と、
前記インターリーブ伝送を処理するために前記スケジューリング・マップに応じて動作するように構成された通信ハンドラ（４４、５４）と、
前記スケジューリング・マップを生成するように構成されたスケジューリング・マップ・ジェネレータ（４６、５６）と
をさらに含む、請求項１記載の装置。
【請求項３】
前記装置が無線アクセスネットワークのノード（２８）を含む、請求項１記載の装置。
【請求項４】
前記装置が、前記無線インターフェース（３２）により無線アクセスネットワークのノードと通信する無線端末（３０）を含む、請求項１記載の装置。
【請求項５】
無線アクセスネットワークで使用するためのスケジューリング・マップ（４０）を生成する方法であって、前記方法が、
無線端末との間の無線インターフェース（３２）によるインターリーブ伝送に使用できる時間間隔を規定するように前記スケジューリング・マップ（４０）を構成し、前記無線端末との間の前記インターリーブ伝送が回線交換（ＣＳ）広域移動通信システム（ＧＳＭ）ネットワーク及びロング・ターム・エボリューション（ＬＴＥ）ネットワークに対してインターリーブされることを含み、
前記方法が、前記ロング・ターム・エボリューション（ＬＴＥ）ネットワークの６０又は１２０個の伝送時間間隔の倍数になるように前記スケジューリング・マップ（４０）の長さを設定することによって特徴付けられる、方法。
【請求項６】
無線アクセスネットワークのノードで前記スケジューリング・マップ（４０）を生成することをさらに含む、請求項５記載の方法。
【請求項７】
前記無線端末で前記スケジューリング・マップ（４０）を生成することをさらに含む、請求項５記載の方法。
【請求項８】
回線交換（ＣＳ）広域移動通信システム（ＧＳＭ）ネットワーク及びロング・ターム・エボリューション（ＬＴＥ）ネットワークの両方に対する無線インターフェース（３２）によるインターリーブ伝送のための装置（２８、３０）であって、前記装置がスケジューリング・マップ（４０）を生成するように構成され、前記スケジューリング・マップ（４０）が、前記回線交換（ＣＳ）広域移動通信システム（ＧＳＭ）ネットワーク及び前記ロング・ターム・エボリューション（ＬＴＥ）ネットワークのうちの少なくとも一方に、無線端末との間のデータ伝送に使用できる時間間隔を通知するように構成され、
前記装置が、
前記ロング・ターム・エボリューション（ＬＴＥ）ネットワークの伝送時間間隔とＧＳＭトラフィック・マルチフレームの開始との間のオフセット遅延と、
ＧＳＭ送信動作からＬＴＥ受信へ又はＧＳＭ受信動作からＬＴＥ送信動作へ移行するために前記無線端末のハードウェア及びソフトウェアのうちの少なくとも一方が必要とする保護遅延と、
前記無線インターフェース（３２）を越えて前記無線端末からのアップリンク（ＵＬ）通信と前記無線インターフェース（３２）を越えて前記無線端末に向かうダウンリンク（ＤＬ）通信の両方におけるＧＳＭ音声伝送に使用されるタイムスロット番号と、
アップリンク（ＵＬ）タイムスロットとダウンリンク（ＤＬ）タイムスロットとの間のＧＳＭ時間遅延差と、
ハーフレート・コーデックが使用されるか又はフルレート・コーデックが使用されるかを示す指示と、
デュアル受信機構造が使用されるか又は単一受信機構造が使用されるかを示す指示と、
どのタイプの時分割法を実現すべきかを示す指示と
いう変数又はパラメータのうちの２つ以上を使用して前記スケジューリング・マップ（４０）を生成するように構成されることを特徴とする、装置。
【請求項９】
前記装置が無線アクセスネットワークのノード（２８）を含む、請求項８記載の装置。
【請求項１０】
前記装置が、前記無線インターフェース（３２）により無線アクセスネットワークのノード（２８）と通信する無線端末（３０）を含む、請求項８記載の装置。
【請求項１１】
前記装置が、前記変数又はパラメータのうちの１つ又は複数について変更が行われた時に前記スケジューリング・マップ（４０）の少なくとも一部分を再生するように構成される、請求項８記載の装置。
【請求項１２】
前記変数又はパラメータのうちの前記１つ又は複数について前記変更が行われた場合に、前記無線端末が、再生されたスケジューリング・マップ（４０）或いは変更された変数又はパラメータを無線アクセスネットワークのノードに送信するように構成される、請求項１１記載の装置。
【請求項１３】
前記無線インターフェース（３２）による前記インターリーブ伝送を容易にするように構成された通信インターフェース（５２、４２）と、
前記スケジューリング・マップ（４０）を生成するように構成されたスケジューリング・マップ（４０）ジェネレータ（４６、５６）と
をさらに含む、請求項８記載の装置。
【請求項１４】
無線端末（３０）との間の無線インターフェース（３２）によるインターリーブ伝送に使用できる時間間隔を規定するように構成されたスケジューリング・マップ（４０）を生成する方法であって、前記無線端末（３０）との間の前記インターリーブ伝送が回線交換（ＣＳ）広域移動通信システム（ＧＳＭ）ネットワーク及びロング・ターム・エボリューション（ＬＴＥ）ネットワークに対してインターリーブされ、前記方法が、
前記ロング・ターム・エボリューション（ＬＴＥ）ネットワークの伝送時間間隔とＧＳＭトラフィック・マルチフレームの開始との間のオフセット遅延と、
ＧＳＭ送信動作からＬＴＥ受信へ又はＧＳＭ受信動作からＬＴＥ送信動作へ移行するために前記無線端末のハードウェア及びソフトウェアのうちの少なくとも一方によって使用される保護遅延と、
前記無線インターフェース（３２）を越えて前記無線端末からのアップリンク（ＵＬ）通信と前記無線インターフェース（３２）を越えて前記無線端末に向かうダウンリンク（ＤＬ）通信の両方におけるＧＳＭ音声伝送に使用されるタイムスロット番号と、
アップリンク（ＵＬ）タイムスロットとダウンリンク（ＤＬ）タイムスロットとの間のＧＳＭ時間遅延差と、
ハーフレート・コーデックが使用されるか又はフルレート・コーデックが使用されるかを示す指示と、
デュアル受信機構造が使用されるか又は単一受信機構造が使用されるかを示す指示と、
どのタイプの時分割法を実現すべきかを示す指示と
いう変数又はパラメータのうちの２つ以上を使用して前記スケジューリング・マップ（４０）を生成することによって特徴付けられる、方法。
【請求項１５】
前記変数又はパラメータのうちの１つ又は複数について変更が行われた時に前記スケジューリング・マップ（４０）の少なくとも一部分を再生することをさらに含む、請求項１４記載の方法。
【請求項１６】
前記無線端末から無線アクセスネットワークのノードによって前記変数又はパラメータのうちの少なくとも１つを取得することをさらに含む、請求項１４記載の方法。
【請求項１７】
回線交換（ＣＳ）広域移動通信システム（ＧＳＭ）ネットワーク及びロング・ターム・エボリューション（ＬＴＥ）ネットワークの両方に対する無線インターフェース（３２）によるインターリーブ伝送のための装置（２８、３０）であって、前記装置がアップリンク（ＵＬ）スケジューリング・マップ（４０）とダウンリンク（ＤＬ）スケジューリング・マップ（４０）の両方を生成するように構成され、前記アップリンク（ＵＬ）スケジューリング・マップ（４０）が、無線端末が前記無線インターフェース（３２）を越えてＬＴＥ伝送時間間隔で情報を送信できる時間間隔を規定するように構成され、前記ダウンリンク（ＤＬ）スケジューリング・マップ（４０）が、前記無線端末が前記無線インターフェース（３２）からＬＴＥ伝送時間間隔で情報を受信できる時間間隔を規定するように構成されることを特徴とする、装置。
【請求項１８】
前記装置が無線アクセスネットワークのノード（２８）を含む、請求項１７記載の装置。
【請求項１９】
前記装置が、前記無線インターフェース（３２）により無線アクセスネットワークのノード（２８）と通信する無線端末（３０）を含む、請求項１７記載の装置。
【請求項２０】
前記無線端末（３０）が、前記アップリンク（ＵＬ）スケジューリング・マップ（４０）と前記ダウンリンク（ＤＬ）スケジューリング・マップ（４０）の両方をＬＴＥ無線アクセスネットワークの前記無線インターフェース（３２）を越えて送信するようにさらに構成される、請求項１７記載の装置。
【請求項２１】
前記アップリンク（ＵＬ）スケジューリング・マップ（４０）及び前記ダウンリンク（ＤＬ）スケジューリング・マップ（４０）に応じて前記無線インターフェース（３２）を越えて伝送を実行するように構成された通信インターフェース（５２、４２）と、
前記ＬＴＥ送信スケジューリング・マップ（４０）及び前記ＬＴＥ受信スケジューリング・マップ（４０）を生成するように構成されたスケジューリング・マップ（４０）ジェネレータ（４６、５６）と
をさらに含む、請求項１７記載の装置。
【請求項２２】
前記装置が、前記無線インターフェース（３２）を越えて前記無線端末から１つ又は複数の変数又はパラメータを受信するように構成された無線アクセスネットワークのノードを含み、前記ノードが、前記１つ又は複数の変数又はパラメータを使用して、前記アップリンク（ＵＬ）スケジューリング・マップ（４０）及び前記ダウンリンク（ＤＬ）スケジューリング・マップ（４０）の両方を生成するようにさらに構成される、請求項１７記載の装置。
【請求項２３】
回線交換（ＣＳ）広域移動通信システム（ＧＳＭ）ネットワーク及びロング・ターム・エボリューション（ＬＴＥ）ネットワークの両方に対する無線インターフェース（３２）によるインターリーブ伝送をスケジューリングするためのスケジューリング・マップ（４０）を生成する方法であって、前記方法がアップリンク（ＵＬ）スケジューリング・マップ（４０）とダウンリンク（ＤＬ）スケジューリング・マップ（４０）の両方を構成することによって特徴付けられ、前記アップリンク（ＵＬ）スケジューリング・マップ（４０）が、無線端末が前記無線インターフェース（３２）を越えてＬＴＥ伝送時間間隔で情報を送信できる時間間隔を規定するように構成され、前記ダウンリンク（ＤＬ）スケジューリング・マップ（４０）が、前記無線端末が前記無線インターフェース（３２）からＬＴＥ伝送時間間隔で情報を受信できる時間間隔を規定するように構成される、方法。
【請求項２４】
無線アクセスネットワークのノード（２８）で前記アップリンク（ＵＬ）スケジューリング・マップ（４０）及び前記ダウンリンク（ＤＬ）スケジューリング・マップ（４０）を生成することをさらに含む、請求項２３記載の方法。
【請求項２５】
無線端末（３０）で前記アップリンク（ＵＬ）スケジューリング・マップ（４０）及び前記ダウンリンク（ＤＬ）スケジューリング・マップ（４０）を生成することをさらに含む、請求項２３記載の方法。
【請求項２６】
回線交換（ＣＳ）広域移動通信システム（ＧＳＭ）ネットワーク及びロング・ターム・エボリューション（ＬＴＥ）ネットワークの両方に対する無線インターフェース（３２）によるインターリーブ伝送のための装置（２８、３０）であって、前記装置がスケジューリング・マップ（４０）を生成するように構成され、前記スケジューリング・マップ（４０）が、前記回線交換（ＣＳ）広域移動通信システム（ＧＳＭ）ネットワーク及び前記ロング・ターム・エボリューション（ＬＴＥ）ネットワークのうちの少なくとも一方に、無線端末との間のデータ伝送に使用できる時間間隔を通知するように構成され、
前記装置が、前記スケジューリング・マップ（４０）を使用して、前記無線インターフェース（３２）によりアップリンク（ＵＬ）上でスケジューリング要求を前記ＬＴＥネットワークに送信するためのＬＴＥ伝送時間間隔を決定するように構成されることを特徴とする、装置。
【請求項２７】
前記ＬＴＥネットワークへの前記スケジューリング要求の送信を容易にするように構成された通信インターフェース（５２、４２）と、
前記スケジューリング・マップ（４０）を生成するように構成されたスケジューリング・マップ（４０）ジェネレータ（４６、５６）と、
前記無線インターフェース（３２）により前記スケジューリング要求を前記ＬＴＥネットワークに送信するための前記ＬＴＥ伝送時間間隔を決定するように前記スケジューリング・マップ（４０）に応じて動作するスケジューラと
をさらに含む、請求項２６記載の装置。
【請求項２８】
前記装置が、前記スケジューリング・マップ（４０）を使用して、前記ＬＴＥネットワークからの許可のタイミング次第でＬＴＥアップリンク（ＵＬ）データ伝送を行える時期を決定するようにさらに構成される、請求項２７記載の装置。
【請求項２９】
前記装置が、前記スケジューリング・マップ（４０）を使用して、前記ＬＴＥネットワークからＡＣＫ又はＮＡＣＫを受信できる時期を決定するようにさらに構成される、請求項２７記載の装置。
【請求項３０】
回線交換（ＣＳ）広域移動通信システム（ＧＳＭ）ネットワーク及びロング・ターム・エボリューション（ＬＴＥ）ネットワークのうちの少なくとも一方に、無線端末との間のデータ伝送に使用できる時間間隔を通知するように構成されたスケジューリング・マップ（４０）を生成する方法であって、前記方法が、前記スケジューリング・マップ（４０）を使用して、無線インターフェース（３２）によりアップリンク（ＵＬ）上でスケジューリング要求を前記ＬＴＥネットワークに送信するためのＬＴＥ伝送時間間隔を決定することによって特徴付けられる、方法。
【発明の詳細な説明】
【技術分野】
【０００１】
本技術は、無線通信ネットワークに関し、特に、アクセス分割多重化（ＡＤＭ）のためのスケジューリングに関する。
【背景技術】
【０００２】
本出願は、以下の米国仮特許出願に関するものであって、その優先権を主張するものであり、その米国仮特許出願はいずれも参照により全体として本明細書に組み込まれる。
２００９年１２月１７日出願の「GSM and LTE Multiplexing Systems」という名称のMagnus Olsson他による米国仮特許出願第６１／２８７，５７５号
２００９年１２月１７日出願の「Measurement Report Relay in Access Division Multiplexing Systems」という名称のMagnus Olsson他による米国仮特許出願第６１／２８７，６２３号
２００９年１２月１７日出願の「WCDMA and LTE Multiplexing」という名称のMagnus Olsson他による米国仮特許出願第６１／２８７，４３８号
２００９年１２月１７日出願の「Telecommunications Multiplexing」という名称のMagnus Olsson他による米国仮特許出願第６１／２８７，６２７号
２００９年１２月１７日出願の「Access Division Multiplexing - Call Setup Performance Improvement」という名称のMagnus Olsson他による米国仮特許出願第６１／２８７，６３０号
２００９年１２月１８日出願の「Scheduled Optimized for GSM and LTD Multiplexing」という名称のMagnus Olsson他による米国仮特許出願第６１／２８７，９５４号
【０００３】
本出願は、以下の米国特許出願に関するものであり、その米国特許出願はいずれも本出願と同じ日に出願され、参照により全体として本明細書に組み込まれる。
「GSM and LTE Multiplexing」という名称のMagnus Olsson他による米国特許出願第１２／９４３，８０１号
「Link Report Relay in Access Division Multiplexing Systems」という名称のMagnus Olsson他による米国特許出願第１２／９４３，７７０号
「Keeping Packet Switched Session in LTE While Circuit Switched Registered in WCDMA」という名称のMagnus Olsson他による米国特許出願第１２／９４３，６１２号
「Maintaining Packet Switched Session in LTE When Establishing GSM Circuit Switched Call」という名称のMagnus Olsson他による米国特許出願第１２／９４３，６８５号
「Call Setup For Access Division Multiplexing」という名称のMagnus Olsson他による米国特許出願第１２／９４３，７３６号
「Scheduling For Access Division Multiplexing」という名称のMagnus Olsson他による米国特許出願第１２／９４３，５０４号
【０００４】
典型的なセルラー無線システムでは、無線端末（移動局及び／又はユーザ装置ユニット（ＵＥ）としても知られるもの）は無線アクセスネットワーク（ＲＡＮ）を介して１つ又は複数のコア・ネットワークに伝達する。無線アクセスネットワーク（ＲＡＮ）は複数のセル領域に分割される地理的領域を対象とし、各セル領域は基地局、例えば、無線基地局（ＲＢＳ）によって対応され、その無線基地局はネットワークによっては、例えば、「ＮｏｄｅＢ」（ＵＭＴＳ）又は「ｅＮｏｄｅＢ」（ＬＴＥ）とも呼ばれる場合がある。セルとは、基地局サイトで無線基地局装置によって無線サービスエリアが提供される地理的領域である。各セルは、そのセル内でブロードキャストされる、ローカル無線領域内のＩＤによって識別される。基地局は、無線周波数で動作する電波インターフェースにより、基地局の範囲内のユーザ装置ユニット（ＵＥ）と通信する。
【０００５】
無線アクセスネットワークのバージョンによっては、いくつかの基地局が典型的に（例えば、陸上通信線又はマイクロ波によって）１つのコントローラ・ノード（無線ネットワーク・コントローラ（ＲＮＣ）又は基地局コントローラ（ＢＳＣ）など）に接続され、このコントローラ・ノードはそれに接続された複数の基地局の様々なアクティビティを監督し調整する。無線ネットワーク・コントローラは、典型的に、１つ又は複数のコア・ネットワークに接続される。
【０００６】
ユニバーサル移動通信システム（ＵＭＴＳ）は、第２世代（２Ｇ）の広域移動通信システム（Global System for Mobile Communications；ＧＳＭ）から進化した第３世代移動通信システムである。ＵＴＲＡＮは、本質的に、ユーザ装置ユニット（ＵＥ）に広帯域符号分割多元接続を使用する無線アクセスネットワークである。第３世代パートナーシップ・プロジェクト（３ＧＰＰ）として知られるフォーラムでは、電気通信供給業者は特に第３世代ネットワーク及びＵＴＲＡＮに関する規格を提案して合意に達しており、強化されたデータ転送速度及び無線容量について調査している。次世代ユニバーサル地上無線アクセスネットワーク（Ｅ−ＵＴＲＡＮ）に関する規格は第３世代パートナーシップ・プロジェクト（３ＧＰＰ）内で進行中である。この次世代ユニバーサル地上無線アクセスネットワーク（Ｅ−ＵＴＲＡＮ）は、ロング・ターム・エボリューション（ＬＴＥ）とシステム・アーキテクチャ・エボリューション（ＳＡＥ）を含む。ロング・ターム・エボリューション（ＬＴＥ）は、３ＧＰＰ無線アクセス技術の変形であり、無線基地局ノードが無線ネットワーク・コントローラ（ＲＮＣ）ノードではなくコア・ネットワークに（サービング・ゲートウェイ又はＳＧＷを介して）接続されるものである。一般に、ＬＴＥでは、無線ネットワーク・コントローラ（ＲＮＣ）ノードの諸機能は無線基地局ノード（ＬＴＥではｅＮｏｄｅＢ）とＳＧＷとの間に分散される。このため、ＬＴＥシステムの無線アクセスネットワーク（ＲＡＮ）は、無線ネットワーク・コントローラ（ＲＮＣ）ノードに報告せずに無線基地局ノードを含む、本質的に「フラットな」アーキテクチャを有する。
【０００７】
セルラー回線交換（ＣＳ）電話は第１世代のモバイル・ネットワークに導入されたものである。それ以来、ＣＳ電話は世界で最大のサービスになり、約４０億の加入申し込みが行われた。現在でも移動通信運営者の収益の主要部分はＣＳ電話サービス（ショート・メッセージ・サービス（ＳＭＳ）を含む）から得られ、２Ｇ  ＧＳＭネットワークは依然として加入数の点で世界を支配している。３Ｇ加入は量的に増加しているが、その増加は、ハンドヘルド・モバイル端末を有するユーザが２Ｇから３Ｇに移行することによるものは幾分小さく、ラップトップ内のドングル又は埋め込みチップセットを介してモバイル・ブロードバンドが実現された結果の方が大きい。
【０００８】
３ＧＰＰ内のロング・ターム・エボリューション（ＬＴＥ）プロジェクトは、とりわけ、さらに良好なモバイル・ブロードバンド（より高いスループット、より低いラウンドトリップタイムなど）をエンドユーザに提供するように３Ｇ規格をさらに改善することを目指している。
【０００９】
電気通信業界における一般的な見解は、将来のネットワークはすべてＩＰのネットワークになることである。この仮定に基づいて、ＬＴＥ作業ではＣＳ分野が除去された。この結果、以下の４つのうちの１つが行われない限り、この電話サービスは３ＧＰＰリリース８対応のＬＴＥ端末では使用することができない。
（１）電話サービスを使用する時にＬＴＥ端末が２Ｇ  ＧＳＭにフォールバックするように、ＣＳフォールバック（ＣＳＦＢ）を実現すること。
（２）公衆交換電話網（ＰＳＴＮ）／公衆陸上モバイル・ネットワーク（ＰＬＭＮ）と相互作用し、ＩＰ及びＩＭＳにより提供される擬似ＣＳ電話サービスである、３ＧＰＰ  ＩＰマルチメディア・サブシステム（ＩＭＳ）／マルチメディア電話（ＭＭＴｅｌ）を実現すること。
（３）ＣＳサービスがＩＰトンネルにカプセル化される、ＬＴＥによる無免許モバイル・アクセス（ＵＭＡ）／汎用アクセス・ネットワーク（ＧＡＮ）によりトンネリング解決策を実現すること。
（４）ＰＳＴＮ／ＰＬＭＮ相互作用により独自所有のボイス・オーバＩＰ（ＶｏＩＰ）を実現すること。
【００１０】
この４つの可能性のいずれにも欠点がある。デュアル転送モード（ＤＴＭ）機能を備えていない配備済みＧＳＭネットワークでは、ＣＳ及びパケット交換（ＰＳ）サービスを並行して使用することができない。このため、回線交換フォールバック（ＣＳＦＢ）を使用する端末との間の呼び出し前に実行中のすべてのＰＳサービスは保留になるか又は終了される。ＧＳＭネットワークがＤＴＭを有する場合、ＰＳパフォーマンスは（１０Ｍｂｐｓ台から１０〜１００ｋｂｐｓ台へ）大幅に低減される。ＣＳフォールバック手法による欠点の１つは、呼び出す時又は呼び出される時に、端末がＬＴＥからＧＳＭ及びＣＳサービスにフォールバックすることである。また、回線交換フォールバック（ＣＳＦＢ）は呼び出しセットアップ時間も延長する。
【００１１】
ＩＭＳ／ＭＭＴｅｌ手法は、ＩＭＳベースの完全に新しいコア／サービス層を使用する。これは、サービスを強化するための新しい可能性を提供するが、運営者が克服すべき財政上のハードルという欠点も伴うものである。新しいコア・ネットワークは資本支出（ＣＡＰＥＸ）を駆り立て、そのコア・ネットワークの統合は初期事業費（ＯＰＥＸ）の増加を余儀なくする。さらに、ＩＭＳ／ＭＭＴｅｌ手法では、２Ｇ／３Ｇ  ＣＳ電話サービスとの間の音声ハンドオーバを処理するために、端末及びレガシーＣＳネットワークに実現された特徴を必要とする。
【００１２】
ＬＴＥによるＵＭＡ／ＧＡＮを使用することは標準化された解決策ではなく、従って、端末の可用性が問題になる可能性がある独自所有の解決策であることが欠点である。また、ネットワーク及び端末の両方においてコア／サービス層に追加の機能、例えば、ネットワーク内のＧＡＮコントローラ及びＵＥ端末内のＧＡＮプロトコルを追加する。
【００１３】
独自所有のＶｏＩＰ手法は、運営者によって制御される場合、それが独自所有のものであることに関連する困難とともに、ＩＭＳ／ＭＭＴｅｌ（新しいコア／サービス層）手法と同じ欠点を伴うものであり、２Ｇ／３Ｇ  ＣＳへのハンドオーバがサポートされない可能性がある。
【００１４】
３ＧＰＰリリース８対応のＬＴＥ端末などの無線端末でレガシーＣＳ電話サービスを使用するためのさらに他の解決策が存在する。ある種のアクセス分割多重化（ＡＤＭ）とも呼ばれるこの追加解決策では、ＧＳＭ  ＣＳ音声の伝送がＬＴＥ送信間にインターリーブされる。例えば、参照により本明細書に組み込まれるＰＣＴ／ＳＥ２００７／０００３５８号を参照されたい。このようなＡＤＭ解決策の一実現例では、無線端末は２つのＴＤＭＡベースの無線システムと同時に通信し、例えば、無線端末は、２つのシステムとの通信を時間的に交互に行うことにより、両方のシステムへの通信路を維持することができる。２つのシステム間の切り替えは、２つのシステム間の同時通信を効果的にもたらすのに十分小さい時間スケールで行われる。
【００１５】
この追加解決策は、コストを削減するが、依然として電話サービスのために良好なサービスエリアを維持するために、レガシーＣＳコア及び配備されたＧＳＭネットワークを電話サービスに依然として再利用して、ＬＴＥサービスエリア内にある時に電話サービスと並行して良好なＰＳ接続を達成しようと試みる。
【００１６】
この追加の又はＡＤＭ解決策はいくつかの方法で実現することができる。図１Ａに示されている第１の実現例は完全にＵＥ中心の解決策であり、ＧＳＭ  ＣＳコアとＬＴＥ  ＰＳコアとの間にいかなる調整も不要である。図１Ｂに示されている第２の実現例はネットワーク支援解決策であり、回線交換フォールバック（ＣＳＦＢ）に基づくものにすることができるか又はＬＴＥによるページングを再利用するだけの解決策にすることができる。
【００１７】
無線の見地から見ると、この解決策は３通りの方法のいずれかで実現することができる。図２Ａに示されている第１の無線実現実施形態例として、ＬＴＥ伝送はＧＳＭ  ＴＤＭＡフレーム・レベルでＧＳＭ伝送と多重化することができるであろう。この第１の解決策の例では、ＧＳＭ  ＣＳ電話サービスがハーフレート・コーデックのみを使用することが必要である。ＧＳＭがハーフレートで実行している時に、ＧＳＭ  ＴＤＭＡフレームは１つおきにユーザによって使用されない。
【００１８】
図２Ｂに示されている第２の無線実現実施形態例として、ＬＴＥ伝送はＧＳＭバースト・レベルでＧＳＭ伝送と多重化することができるであろう。ＧＳＭは、それぞれが０．５７７ｍｓの持続期間を有するバーストを使用して音声を伝送する。音声動作では、１つのバーストを送信した後、Ｒｘ／Ｔｘ部は、もう一度起動して新しいＲｘ／Ｔｘプロセスを実行するまで、７＊０．５７７ｍｓの間、休止する。この第２の例では、この時間のギャップをＬＴＥ伝送に使用することができるであろう。
【００１９】
図２Ｃに示されている第３の無線実現実施形態例として、上記のいずれかを伝送に使用することができるが、動作の単純化のためにダウンリンクではＧＳＭとＬＴＥの同時受信にデュアル受信機を使用する。
【００２０】
図３は、広域移動通信システム（ＧＳＭ）内のタイムスロットでデータがどのように伝送されるかを示している。１つのタイムスロット内の各バースト期間は約０．５７７ｍｓｅｃである。図４にさらに示されているように、１つのＴＤＭＡフレームは８個のタイムスロットを含み、４．６１５ｍｓｅｃの長さである。１つのトラフィック・マルチフレームは２６個のＴＤＭＡフレームを含み、１２０ｍｓｅｃの長さである。ＧＳＭのフルレートでは、２６個のＴＤＭＡフレームのうちの２４個が音声トラフィック移送に使用され、１つは制御に使用され（ＴＤＭＡフレーム１２）、１つは未使用である（ＴＤＭＡフレーム２５）。
【００２１】
ＰＣＴ／ＳＥ２００７／００００２９号及びＰＣＴ／ＳＥ２００７／０００３５８号には、単一端末と複数ネットワークとの間のデータの交換が記載されており、複数ネットワークのうちの少なくとも１つとの間のデータ伝送にどの伝送時間間隔（transmission time interval）を使用できるかを通知するためにそのネットワークに送信されるスケジューリング・マップを使用することが開示されている。しかし、このような文献（複数も可）では、広域移動通信システム（ＧＳＭ）の音声伝送間におけるＬＴＥ伝送のインターリーブのために開発されたロング・ターム・エボリューション（ＬＴＥ）においてスケジューリング・マップを使用するという特定の問題に対処していない。
【００２２】
図４は、ロング・ターム・エボリューション（ＬＴＥ）アップリンク（ＵＬ）スケジューリングの諸態様を示している。パケットを送信する場合、ＵＥはスケジューリング要求（ＳＲ）を伝送する。最低限４ｍｓｅｃ（又はスケジューリング遅延が可変であるのでそれより長い時間）後に、ｅＮｏｄｅＢは許可（Ｇ）を伝送する。次に（４ｍｓ［固定値］後に）データが移送される。データが適切に受信されない場合、データ伝送試行の４ｍｓｅｃ後にＮＡＣＫ（Ｎ）が送信される。これは、４ｍｓ後にもう一度行われる再伝送（Ｒ）をトリガするものである。図４に示されている例では、この伝送は成功しており、従って、４ｍｓ後にＡＣＫ（Ａ）が送信される。このため、ＬＴＥ  ＵＬ伝送では、許可、伝送、ＡＣＫ／ＮＡＣＫ、及び再伝送の間に固定タイミングが存在する。スケジューリング・マップを適用する場合、上記の固定タイミング方式を使用してこれらのイベントに対応するという問題が発生する。
【００２３】
従って、ＧＳＭ回線交換（ＣＳ）音声及びＬＴＥ送信をインターリーブする時に、スケジューリング・マップの開発は問題になる可能性がある。発生する問題としては、スケジューリング・マップがどのように導出されるか、スケジューリング・マップの長さの決定（例えば、スケジューリング・マップをどのくらいの長さにするべきか）、並びにスケジューリング・マップを導出するためにどのパラメータを使用すべきかを含む。
【発明の概要】
【発明が解決しようとする課題】
【００２４】
本明細書で開示される技術は、基本的に、異なる無線アクセス技術ネットワークに対して又はそれらの間で、特にロング・ターム・エボリューション（ＬＴＥ）ネットワーク及び広域移動通信システム（ＧＳＭ）ネットワークに対して、リソース利用（例えば、伝送時間間隔の使用）を割り振るためにアクセス分割多重化（ＡＤＭ）環境で使用されるスケジューリング・マップ（複数も可）を生成及び／又は更新するための方法及び装置に関係する。いくつかの実施形態例では、本明細書のスケジューリング・マップ（複数も可）、装置、及び方法は、異なる無線アクセス技術間のアクセス分割多重化に関与する無線端末に実現される。他の実施形態例では、本明細書のスケジューリング・マップ（複数も可）、装置、及び方法は、無線アクセス技術ネットワークのうちの１つ、例えば、ロング・ターム・エボリューション（ＬＴＥ）ネットワークのネットワーク・ノード（例えば、ｅＮｏｄｅＢ）に実現される。
【課題を解決するための手段】
【００２５】
スケジューリング・マップが無線端末によって生成される実施形態例では、このような無線端末の実現例は、通信インターフェースと、通信ハンドラと、スケジューリング・マップ・ジェネレータとを含む。通信インターフェースは、例えば、無線インターフェースによるインターリーブ伝送（interleaved transmission）を容易にするように構成される。通信ハンドラは、インターリーブ伝送を処理するためにスケジューリング・マップに応じて動作するように構成される。スケジューリング・マップ・ジェネレータは、スケジューリング・マップを生成するように構成される。
【００２６】
スケジューリング・マップが無線アクセスネットワーク・ノードによって生成される実施形態例では、このようなノードの実現例は、通信インターフェースとスケジューリング・マップ・ジェネレータとを含む。通信インターフェースは、無線インターフェースによるインターリーブ伝送を容易にするように構成される。スケジューリング・マップ・ジェネレータは、スケジューリング・マップを生成するように構成される。
【００２７】
本明細書では「スケジューリング・マップ」として単に単数形で言及される場合が多いが、本明細書に記載されている実施形態及び態様の例のそれぞれは、多方向スケジューリングのための装置及び方法、例えば、アップリンク（ＵＬ）スケジューリング・マップとダウンリンク（ＤＬ）スケジューリング・マップの両方を作成するための方法及び装置を包含できることが認識されるであろう。アップリンク（ＵＬ）スケジューリング・マップは、無線端末が無線インターフェースを越えてＬＴＥ伝送時間間隔で情報を送信できる時間間隔を規定するように構成され、ダウンリンク（ＤＬ）スケジューリング・マップは、無線端末が無線インターフェースからＬＴＥ伝送時間間隔で情報を受信できる時間間隔を規定するように構成される。
【００２８】
本明細書で開示される技術の実施形態及び態様の一例は、ロング・ターム・エボリューション（ＬＴＥ）ネットワークの６０又は１２０個の伝送時間間隔の倍数である長さを有するスケジューリング・マップ、例えば、６０／１２０倍ＴＴＩ長スケジューリング・マップを作成するための装置及び方法に関係する。いくつかの実施形態例では、６０／１２０倍ＴＴＩ長スケジューリング・マップは無線端末によって生成される。他の実施形態では、６０／１２０倍ＴＴＩ長スケジューリング・マップは無線アクセスネットワーク・ハンドオーバ制御ノードのノードによって生成される。
【００２９】
本明細書で開示される技術の実施形態及び態様の一例は、変数又はパラメータのうちの２つ以上を使用してスケジューリング・マップ（例えば、複数入力依存スケジューリング・マップ（multi-input dependent scheduling map））を作成するための装置及び方法に関係する。複数入力依存スケジューリング・マップを生成するために使用される変数又はパラメータは、（１）ロング・ターム・エボリューション（ＬＴＥ）ネットワークの伝送時間間隔とＧＳＭトラフィック・マルチフレームの開始との間のオフセット遅延（offset delay）、（２）ＧＳＭ送信動作からＬＴＥ受信へ又はＧＳＭ受信動作からＬＴＥ送信動作へ移行するために無線端末ハードウェア／ソフトウェアが必要とする保護遅延（guard delay）、（３）無線インターフェースを越えて無線端末からのアップリンク（ＵＬ）通信と無線インターフェースを越えて無線端末に向かうダウンリンク（ＤＬ）通信の両方におけるＧＳＭ音声伝送に使用されるタイムスロット番号、（４）アップリンク（ＵＬ）タイムスロットとダウンリンク（ＤＬ）タイムスロットとの間のＧＳＭ時間遅延差、（５）ハーフレート・コーデックが使用されるか又はフルレート・コーデックが使用されるかを示す指示、（６）デュアル受信機構造が使用されるか又は単一受信機構造が使用されるかを示す指示、及び（７）どのタイプの時分割法を実現すべきかを示す指示（例えば、タイムスロット間でＬＴＥ伝送をマッピングするという第１のタイプの時分割法又はＴＤＭＡフレーム間でＬＴＥ伝送をマッピングするという第２のタイプの時分割法のいずれか）のうちの２つ以上を含むことができる。いくつかの実施形態例では、複数入力依存スケジューリング・マップは無線端末によって生成される。他の実施形態では、複数入力依存スケジューリング・マップは無線アクセスネットワーク・ハンドオーバ制御ノードのノードによって生成される。
【００３０】
実施形態及び態様の一例によれば、本明細書で開示される技術は、適応的に再生可能なスケジューリング・マップ、例えば、１つ又は複数の入力変数又はパラメータの変化が発生した時にスケジューリング・マップの少なくとも一部分を再生するための方法及び装置にさらに関係する。いくつかの実施形態例では、適応的に再生可能なスケジューリング・マップは無線端末によって生成される。他の実施形態では、適応的に再生可能なスケジューリング・マップは無線アクセスネットワーク・ハンドオーバ制御ノードのノードによって生成される。
【００３１】
本明細書で開示される技術の実施形態及び態様の一例は、無線端末がＬＴＥネットワークに対して無線インターフェースによりアップリンク（ＵＬ）上でスケジューリング要求を送信することになっているＬＴＥ伝送時間間隔を決定するためにスケジューリング・マップを作成及び／又は使用するための装置及び方法に関係する。一実現例では、この方法及び装置は、ＬＴＥネットワークからの許可のタイミング次第でＬＴＥアップリンク（ＵＬ）データ伝送を行える時期を決定するために無線端末がスケジューリング・マップを使用できるようになっている。一実現例では、この方法及び装置は、ＬＴＥネットワークからＡＣＫ又はＮＡＣＫを受信できる時期を決定するためにスケジューリング・マップが使用されるようになっている。
【００３２】
本発明の上記その他の目的、特徴、及び利点は、参照文字が様々な図全体を通して同じ部分を参照している添付図面に示されているように好ましい諸実施形態について以下に示すより詳細な説明から明らかになるであろう。図面は必ずしも一定の縮尺で描かれているわけではなく、その代わりに本発明の原理を示すことに重点が置かれている。
【図面の簡単な説明】
【００３３】
【図１Ａ】広域移動通信システム（ＧＳＭ）回線交換（ＣＳ）コアとロング・ターム・エボリューション（ＬＴＥ）パケット交換（ＰＳ）コアとの間にいかなる調整も不要である、完全にＵＥ中心の解決策のＡＤＭ解決策を示す模式図である。
【図１Ｂ】回線交換（ＣＳ）フォールバック（ＣＳＦＢ）に基づくものにすることができるか又はロング・ターム・エボリューション（ＬＴＥ）によるページングを再利用するだけの解決策にすることができる、ネットワーク支援アクセス分割多重化（ＡＤＭ）解決策を示す模式図である。
【図２Ａ】アクセス分割多重化（ＡＤＭ）解決策を示す異なる無線実現実施形態例であって、ハーフレートのＧＳＭ及びＴＤＭＡフレーム・レベルの多重化を有する単一受信機／送信機を含む一実施形態を示す図である。
【図２Ｂ】アクセス分割多重化（ＡＤＭ）解決策を示す異なる無線実現実施形態例であって、バースト期間レベルの多重化を有する単一受信機／送信機を含む一実施形態を示す図である。
【図２Ｃ】アクセス分割多重化（ＡＤＭ）解決策を示す異なる無線実現実施形態例であって、デュアル受信機／単一送信機を含む一実施形態を示す図である。
【図３】ロング・ターム・エボリューション（ＬＴＥ）アップリンク（ＵＬ）スケジューリングの模式図である。
【図４】広域移動通信システム（ＧＳＭ）内のタイムスロットでの伝送の模式図である。
【図５】ロング・ターム・エボリューション（ＬＴＥ）ネットワークのセルと２Ｇ（例えば、ＧＳＭ）ネットワークのセルによるアクセス分割多重化に関与する無線端末を描写する模式図である。
【図６】２つの無線アクセス技術ネットワークを含み、無線端末と２つのネットワークとの間の多重化伝送に６０／１２０倍ＴＴＩ長スケジューリング・マップが使用される、通信システムの各部分の概略図である。
【図６Ａ】スケジューリング・マップが無線端末によって生成され、本質的にスケジューリング・マップ全体が無線端末から少なくとも１つの基地局に伝達される、図６のシステムの一実現例の概略図である。
【図６Ｂ】無線端末がスケジューリング・マップ全体を基地局に伝達するのではなく、その代わりに無線端末が特定のパラメータを伝達し、それにより基地局がそのスケジューリング・マップ全体についてそれ専用のバージョンを生成又は導出する、図６のシステムの一実現例の概略図である。
【図７】２つの無線アクセス技術ネットワークを含み、無線端末と２つのネットワークとの間の多重化伝送に複数入力依存スケジューリング・マップが使用される、通信システムの各部分の概略図である。
【図７Ａ】複数入力依存スケジューリング・マップが無線端末によって生成され、本質的に複数入力依存スケジューリング・マップ全体が無線端末から少なくとも１つの基地局に伝達される、図７のシステムの一実現例の概略図である。
【図７Ｂ】複数入力依存スケジューリング・マップが無線端末によって生成されるが、無線端末が複数入力依存スケジューリング・マップ全体を基地局に伝達するのではなく、その代わりに無線端末が特定のパラメータを伝達し、それにより基地局がその複数入力依存スケジューリング・マップ全体についてそれ専用のバージョンを生成又は導出する、図７のシステムの一実現例の概略図である。
【図８】複数入力依存スケジューリング・マップを構築するための一実施形態例のスケジューリング・マップ・ジェネレータによる複数入力の受信を示す模式図である。
【図９】ロング・ターム・エボリューション（ＬＴＥ）ネットワークの伝送時間間隔とＧＳＭトラフィック・マルチフレームの開始との間のオフセット遅延を示す模式図である。
【図１０】ＧＳＭ送信動作からＬＴＥ受信へ又はＧＳＭ受信動作からＬＴＥ送信動作へ移行するために無線端末ハードウェア／ソフトウェアが必要とする保護遅延を示す模式図である。
【図１１】ＴＤＭＡフレーム・レベルのハーフレート・コーデック伝送パターンを示す模式図である。
【図１２】どのＬＴＥ  ＴＴＩをＬＴＥ送信又は受信に使用できるかを示す、無線端末ＬＴＥ  ＲＸ及び無線端末ＬＴＥ  ＴＸスケジューリング・マップの図である。
【図１３】２つの無線アクセス技術ネットワークを含み、無線端末と２つのネットワークとの間の多重化伝送に適応的に再生可能なスケジューリング・マップが使用される、通信システムの各部分の概略図である。
【図１３Ａ】適応的に再生可能なスケジューリング・マップが無線端末によって生成され、本質的に適応的に再生可能なスケジューリング・マップ全体が無線端末から少なくとも１つの基地局に伝達される、図１３のシステムの一実現例の概略図である。
【図１３Ｂ】適応的に再生可能なスケジューリング・マップが無線端末によって生成され、ｅＮｏｄｅＢが更新されたパラメータを使用して、その適応的に再生可能なスケジューリング・マップ全体についてそれ専用のバージョンを更新する、図１３のシステムの一実現例の概略図である。
【図１４】ＬＴＥアップリンク（ＵＬ）スケジューリングの模式図である。
【図１５】無線端末とロング・ターム・エボリューション（ＬＴＥ）との間の伝送をスケジューリングするためにスケジューリング・マップを使用する時に実行される基本的かつ代表的な動作を示すフローチャートである。
【発明を実施するための形態】
【００３４】
以下の説明では、説明及び非限定目的で、本発明の十分な理解を可能にするために、特定のアーキテクチャ、インターフェース、技法などの具体的な詳細が明記されている。しかし、これらの具体的な詳細から逸脱する他の諸実施形態で本発明を実践できることは、当業者にとって明白になるであろう。即ち、当業者であれば、本明細書に明示的に説明又は図示されていないが、本発明の原理を実施し、その精神及び範囲内に含まれる様々な装置を考案できるであろう。いくつかの事例では、不必要な詳細で本発明の説明を曖昧にしないために、周知の装置、回路、及び方法に関する詳細な説明は省略されている。本発明の原理、諸態様、及び諸実施形態、並びにその具体的な例を列挙する本明細書のすべての記述は、構造及び機能の両面でそれと同等のものを包含するためのものである。さらに、このような同等のものは、現在既知の同等のもの並びに将来開発される同等のもの、即ち、構造にかかわらず、同じ機能を果たすように開発された任意の要素も含むことが意図されている。
【００３５】
従って、例えば、本明細書のブロック図は本技術の原理を実施する例示的な回路又はその他の機能ユニットの概念図を表すことができることは、当業者によって認識されるであろう。同様に、コンピュータ又はプロセッサが明示的に示されているかどうかにかかわらず、コンピュータ可読媒体に実質的に表すことができ、コンピュータ又はプロセッサによってそのように実行することができる様々なプロセスが、任意のフローチャート、状態遷移図、擬似コードなどにより表されることが認識されるであろう。
【００３６】
「コンピュータ」、「プロセッサ」、又は「コントローラ」と表示又は記載されたものを含むがこれらに限定されない機能ブロックを含む様々な要素の機能は、回路ハードウェア及び／又はコンピュータ可読媒体上に記憶されたコード化された命令の形でソフトウェアを実行できるハードウェアなどのハードウェアの使用により提供することができる。従って、このような機能及び例示された機能ブロックは、ハードウェアによって実現されるもの及び／又はコンピュータによって実現されるもの、従って、マシンによって実現されるものとして理解すべきである。
【００３７】
ハードウェア実現例に関して、機能ブロックは、無制限に、デジタル信号プロセッサ（ＤＳＰ）ハードウェア、縮小命令セットプロセッサ、特定用途向け集積回路（複数も可）［ＡＳＩＣ］を含むがこれに限定されないハードウェア（例えば、デジタル又はアナログ）回路、及び（適切であれば）このような機能を実行できる状態マシンを含むか又は包含することができる。
【００３８】
コンピュータ実現例に関して、コンピュータは一般に、１つ又は複数のプロセッサ或いは１つ又は複数のコントローラを含むものと理解され、コンピュータ、プロセッサ、及びコントローラという用語は本明細書では交換して使用することもできる。コンピュータ又はプロセッサ又はコントローラによって提供される場合、その機能は、単一の専用コンピュータ又はプロセッサ又はコントローラによって、単一の共用コンピュータ又はプロセッサ又はコントローラによって、或いはその一部を共用又は分散することができる複数の個別コンピュータ又はプロセッサ又はコントローラによって提供することができる。その上、「プロセッサ」又は「コントローラ」という用語の使用は、上記で列挙されたハードウェア例など、このような機能を果たすか及び／又はソフトウェアを実行することができるその他のハードウェアも指すものと解釈されるものとする。
【００３９】
図５は、少なくともＧＳＭ／ＧＳＭエッジ無線アクセスネットワーク（ＧＥＲＡＮ）ネットワーク２２−２のセルとロング・ターム・エボリューション（ＬＴＥ）ネットワーク２２−１のセルとを含む通信システムを示している。ＧＳＭネットワーク２２−２は無線基地局ノード２８−２を含み、ＬＴＥネットワーク２２−１は基地局又はｅＮｏｄｅＢ２８−１を含む。図５は、アクセス分割多重化（ＡＤＭ）に関与することができる無線端末又は「ＵＥ」３０をさらに示している。例えば、無線端末３０は、ロング・ターム・エボリューション（ＬＴＥ）ネットワーク２２−１のセル内にある時にパケット交換（ＰＳ）セッションに関与することができ、ＧＳＭ／ＧＥＲＡＮネットワーク２２−２のＧＳＭセル（例えば、２Ｇセル）内で提供される回線交換（ＣＳ）又はパケット交換（ＰＳ）サービスにさえ関与することができる。
【００４０】
本明細書で開示される技術は、基本的に、異なる無線アクセス技術ネットワークに対して又はそれらの間で、特にネットワーク２２−１などのロング・ターム・エボリューション（ＬＴＥ）ネットワーク及びＧＳＭネットワーク（ネットワーク２２−２によって表されるもの）などの他のネットワークに対して、リソース利用（例えば、伝送時間間隔の使用）を割り振るためにアクセス分割多重化（ＡＤＭ）環境で使用されるスケジューリング・マップを生成及び／又は更新するための方法及び装置に関係する。スケジューリング・マップは、第１の無線アクセス技術ネットワーク（例えば、ＬＴＥ）と無線端末との間で伝送が行われる時期を決定するためにネットワークのノード並びに無線端末によって使用される。
【００４１】
様々なネットワーク・ノード及び無線端末は、ノード及びエンティティが、調整され、本質的に障害のない方法で通信できるようにする、複数バージョン（好ましくは本質的に同一）のスケジューリング・マップを有する。いくつかの実施形態例では、本明細書のスケジューリング・マップ及び方法は無線端末３０に実現され、他の実施形態例では、本明細書のマップ及び方法は１つの無線アクセス技術ネットワークのノード２８（例えば、基地局ノード）に実現される。
【００４２】
本明細書では「スケジューリング・マップ」として単に単数形で言及される場合が多いが、本明細書に記載されている実施形態及び態様の例のそれぞれは、多方向スケジューリングのための装置及び方法、例えば、アップリンク（ＵＬ）スケジューリング・マップとダウンリンク（ＤＬ）スケジューリング・マップの両方を作成するための方法及び装置を包含できることが認識されるであろう。アップリンク（ＵＬ）スケジューリング・マップは、無線端末が無線インターフェースを越えてＬＴＥ伝送時間間隔で情報を送信できる時間間隔を規定するように構成され、ダウンリンク（ＤＬ）スケジューリング・マップは、無線端末が無線インターフェースからＬＴＥ伝送時間間隔で情報を受信できる時間間隔を規定するように構成される。従って、いずれかの実施形態でスケジューリング・マップに言及する場合、単一方向のための単一スケジューリング・マップに限定されないが、アップリンク（ＵＬ）方向（無線端末からネットワークへ）のためのスケジューリング・マップと、ダウンリンク（ＤＬ）方向（ネットワークから無線端末へ）のためのスケジューリング・マップの両方を総称的に包含することができる。
【００４３】
図６は、２つの無線アクセス技術ネットワーク（例えば、ＬＴＥネットワーク２２−１及びＧＳＭネットワーク２２−２）を含み、無線端末と２つのネットワークとの間の多重化伝送に６０／１２０倍ＴＴＩ長スケジューリング・マップが使用される、通信システムの各部分を示している。図６は、２つの無線アクセス技術ネットワークのそれぞれの基地局２８−１及び２８−２だけでなく、ＧＳＭネットワーク２２−２用の基地局コントローラ・ノード３１並びにそれにより無線端末３０がワイヤレスで通信する無線又は電波インターフェース３２も示しており、これらは少なくともある程度の時間はアクセス分割多重化を使用して２つのネットワーク２２−１及び２２−２と通信する。図６は、（単純化のため）ＬＴＥネットワーク２２−１とＧＳＭネットワーク２２−２との境界３４をさらに示している。
【００４４】
また、図６は、ｅＮｏｄｅＢ２８−１及び無線端末３０にスケジューリング・マップが提供されることも示している。特に、ｅＮｏｄｅＢ２８−１にはスケジューリング・マップ４０−１−６が提供され、無線端末３０にはスケジューリング・マップ４０−０−６が提供される。上述の通り、ｅＮｏｄｅＢ２８−１及び無線端末３０に提供されるスケジューリング・マップ４０のバージョンは好ましくは本質的に同一であり、調整され、本質的に障害のない方法で無線端末（個別）と２つのネットワークとの間の通信を容易にする。従って、本明細書に記載された異なるそれぞれの実施形態について、ｅＮｏｄｅＢ２８−１及び無線端末３０に分散されるか又はその他の方法で常駐するスケジューリング・マップのバージョンは集合的かつ総称的にスケジューリング・マップ４０と呼ばれる。
【００４５】
ＧＳＭ音声伝送間のＬＴＥ伝送のためのスケジューリング・マップを導出する場合、考慮すべき１つの要因はスケジューリング・マップ４０の長さである。本明細書で開示される技術の一態様及び一実施形態例によれば、スケジューリング・マップ４０の長さは好ましくは整数個のロング・ターム・エボリューション（ＬＴＥ）伝送時間間隔（ＴＴＩ）である。加えて、スケジューリング・マップ４０は好ましくは整数個のＧＳＭフレーム又はタイムスロットの長さも有する。そうではない場合、スケジューリング・パターンは、時間的にＬＴＥ伝送とＧＳＭ伝送との衝突を引き起こさずに繰り返すことはできない。従って、本明細書で開示される技術のこの態様によれば、スケジューリング・パターンは、完全なトラフィック・マルチフレームの長さ又はトラフィック・マルチフレームの半分の長さにしなければならない。ＴＤＭＡフレーム０〜１１及び１３〜２４が音声トラフィックに使用されるという点でトラフィック・マルチフレームは対称的であるので、これはトラフィック・フレームの半分の長さにすることができる。このため、スケジューリング・マップ長は６０ｍｓ又は１２０ｍｓのいずれか（或いは６０／１２０個のＬＴＥ  ＴＴＩの長さ）である。従って、図６の実施形態例の場合、スケジューリング・マップは６０／１２０倍ＴＴＩ長スケジューリング・マップと呼ばれる。
【００４６】
ＬＴＥ移送に使用できるＴＴＩは、無線端末３０がダウンリンク（ＤＬ）で受信できる場合と無線端末３０がアップリンク（ＵＬ）で送信できる場合の両方について導出しなければならない。従って、図６のｅＮｏｄｅＢ２８−１及び無線端末３０にはスケジューリング・マップが１つだけ示されているが、２つのスケジューリング・マップ、即ち、ＬＴＥアップリンク（ＵＬ）用に１つとＬＴＥダウンリンク（ＤＬ）用にもう１つを導出しなければならず、このようなスケジューリング・マップはどちらも、ＬＴＥ伝送が、例えば、ＧＳＭ伝送に対して可能である場合を示していることは言うまでもない。
【００４７】
６０／１２０倍ＴＴＩ長スケジューリング・マップは、取り消されるか又は更新されるまで定期的に使用される。定期的な使用により、スケジューリング・マップ（又はスケジューリング・マップを構築するために必要なパラメータ）を６０ｍｓ（１２０ｍｓ）おきに送信する必要はないが、最後に生成された６０／１２０倍ＴＴＩ長スケジューリング・マップは、追加の通知まで、例えば、変更が要求される及び／又は行われるまで、無線端末３０及びｅＮｏｄｅＢ２８−１（例えば、ＬＴＥシステム）によって使用できることを意味する。既存の（例えば、すでに生成された）６０／１２０倍ＴＴＩ長スケジューリング・マップの定期的な使用は処理時間を節約する際に有利であり（６０ｍｓおきに新しいマップを記憶又はチェックする必要性を回避する）、おそらくさらに重要なことに定期的な使用により無線帯域幅が節約される。一般に、スケジューリング・マップに対する変更は６０ｍｓおきではなく数十秒程度の時間スケールで行われる可能性があるので、これは真実である。
【００４８】
図６Ａは、スケジューリング・マップが無線端末３０によって生成され、本質的にスケジューリング・マップ全体が無線端末３０からｅＮｏｄｅＢ２８−１に伝達される、実施形態及び態様の一例におけるｅＮｏｄｅＢ２８−１及び無線端末３０の選択されたユニット例をより詳細に示している。図６Ｂは、無線端末がスケジューリング・マップ全体をｅＮｏｄｅＢ２８−１に伝達するのではなく、その代わりに無線端末３０が特定のパラメータを伝達し、それによりｅＮｏｄｅＢ２８−１がスケジューリング・マップ全体についてそれ専用のバージョンを生成又は導出することができる、実施形態及び態様の一例をより詳細に示している。
【００４９】
従って、図６Ａ及び図６Ｂは、ｅＮｏｄｅＢ２８−１及び無線端末３０の選択されたユニット又は機能性を示している。例えば、図６Ａ及び図６Ｂは、無線端末３０が通信インターフェース４２と通信ハンドラ４４とスケジューリング・マップ・ジェネレータ４６とを含むことを示している。通信インターフェース４２は、例えば、無線インターフェース３２によるインターリーブ伝送並びに無線端末３０から基地局２８−２及びｅＮｏｄｅＢ２８−１へのスケジューリング・マップ（又は、図６Ｂの実施形態の場合、それからスケジューリング・マップを導出できるパラメータ）の通信を容易にするように構成される。通信ハンドラ４４は、例えば、伝送前のデータの前処理及び伝送後のデータの後処理の両方など、インターリーブ伝送を処理するためにスケジューリング・マップに応じて動作するように構成される。スケジューリング・マップ・ジェネレータ４６は、無線端末に関するスケジューリング・マップ、例えば、図６の実施形態ではスケジューリング・マップ４０−０−６を生成するように構成される。
【００５０】
図６Ａ及び図６Ｂは、ｅＮｏｄｅＢ２８−１が通信インターフェース５２−１と通信ハンドラ５４−１とスケジューリング・マップ４０−１−６に対応するためのメモリ又はプロセッサなどとを含むことをさらに示している。同様に、ＧＳＭ基地局２８−２も通信インターフェース５２−２と通信ハンドラ５４−２とを含み、さらにＧＳＭスケジューリング・コントローラ５５などはＧＳＭ呼び出しを使用することが許可されているスロット又はバーストを追跡する。通信インターフェース５２は、無線インターフェースによるインターリーブ伝送並びに無線端末３０からｅＮｏｄｅＢ２８−１へのｅＮｏｄｅＢ２８−１のためのスケジューリング・マップ（又は、図６Ｂの実施形態の場合、それからスケジューリング・マップを導出できるパラメータ）の通信を容易にする。通信ハンドラ５４は、例えば、伝送前のデータの前処理及び伝送後のデータの後処理の両方など、インターリーブ伝送を処理するためにスケジューリング・マップに応じて動作する。
【００５１】
図６Ｂの実施形態例は、ｅＮｏｄｅＢ２８−１がスケジューリング・マップ・ジェネレータ５６−１をさらに含むという点で図６Ａの実施形態例とは異なる。図６Ｂの実施形態例の場合、スケジューリング・マップ・ジェネレータ５６−１は、ｅＮｏｄｅＢ２８−１によって使用されるスケジューリング・マップ４０−１−６を導出又は生成するために無線端末３０によって送信されるパラメータ又は変数を使用する。
【００５２】
上述の通り、ｅＮｏｄｅＢ２８−１及び無線端末３０にはスケジューリング・マップが１つだけ示されているが、ｅＮｏｄｅＢ２８−１及び無線端末３０のためにアップリンク（ＵＬ）とダウンリンク（ＤＬ）の両方のスケジューリング・マップが生成される。その上、図６Ａ及び図６Ｂによってそれぞれ描写されているように、スケジューリング・マップ（図６Ａ）又はスケジューリング・マップを導出するためのパラメータ（図６Ｂ）がＬＴＥネットワークに送信される。また、無線端末が送信できる時間を識別するために、無線端末内部で無線端末ＬＴＥ  ＴＸ（ＵＬ）スケジューリング・マップも使用される。ＬＴＥシステムは無線端末ＬＴＥ  ＲＸ（ＤＬ）スケジューリング・マップを必要とし、従って、無線端末がＬＴＥ伝送（制御及びデータ）を受信できる時期を把握し、ＬＴＥシステムは許可されたリソースがどのＴＴＩについて有効になるかを理解するために無線端末ＬＴＥ  ＴＸ（ＵＬ）スケジューリング・マップを必要とする。
【００５３】
破線６０は、図６Ａ及び図６Ｂ並びにその他の図では、それにより線６０内に示されている機能性及びユニットが諸実施形態例で実現できるプラットフォームを描写している。例えば、無線端末３０はプラットフォーム６０−０を含むことができ、ｅＮｏｄｅＢ２８−１はプラットフォーム６０−１を含むことができ、基地局２８−２はプラットフォーム６０−２を含むことができる。「プラットフォーム」という用語は、無線端末又はノードの機能ユニットをマシンによってどのように実施又は実現できるかを記述する方法である。プラットフォームの一例は、線６０によって囲まれた要素のうちの１つ又は複数が、本明細書に記載された様々な動作を実行するためにメモリに記憶されたコード化された命令（例えば、非過渡的信号）を実行する１つ又は複数のプロセッサによって実現されるコンピュータ実現例である。このようなコンピュータ実現例では、無線端末及び／又はノードは、プロセッサ（複数も可）に加えて、メモリ・セクション（次に、ランダム・アクセス・メモリ、読み取り専用メモリ、アプリケーション・プログラム・メモリ（例えば、本明細書に記載された動作を実行するためにプロセッサによって実行可能なコード化された命令を記憶するもの）、及び、例えば、キャッシュ・メモリなどの任意のその他のメモリを含むことができるもの）を含むことができる。その上、典型的に、本明細書で論じられている諸実施形態のそれぞれの無線端末及びおそらくネットワーク・ノードは特定の入出力ユニット又は機能性も含むことができ、代表的な入出力ユニットはキーパッド、音声入力装置（例えば、マイクロホン）、視覚入力装置（例えば、カメラ）、視覚出力装置（例えば、ディスプレイ）、音声出力装置（例えば、スピーカ）、及びおそらくその他のタイプの入出力装置である。
【００５４】
図６Ａ及び図６Ｂ並びにその他の図面の例では、線６０によって描写されているプラットフォームは、コンピュータによって実現されるか又はコンピュータベースのプラットフォームとして示されている。無線端末及び／又はネットワーク・ノードのためのプラットフォームのもう１つの例は、例えば、本明細書に記載された様々な動作を実行するように回路要素が構造化され操作される特定用途向け集積回路（ＡＳＩＣ）などのハードウェア回路のプラットフォームにすることができる。
【００５５】
他の実施形態例の考察を続ける前に、通信インターフェース及び通信ハンドラ並びにプラットフォーム実現例など、すでに記載した無線端末及びネットワーク・ノードの代表的な要素及び機能性は、単純化のためにこのような代表的な要素及び機能性が具体的に例示又は考察されない場合もあるが、本明細書に記載された他の実施形態例を特徴付けることができ、典型的に特徴付けるものであることを強調する。
【００５６】
様々なパラメータ又は変数を使用してスケジューリング・マップを導出できることは、例えば、図６Ｂの実施形態に併せて上述されている。その諸態様のうちの他の態様では、本明細書で開示される技術は、変数又はパラメータのうちの２つ以上を使用してスケジューリング・マップ（例えば、複数入力依存スケジューリング・マップ）を作成するための装置及び方法に関係する。
【００５７】
複数入力依存スケジューリング・マップを実現するための方法の一例は、１組の変数及び１組の静的パラメータを考慮に入れる制御手順を使用することである。この制御手順は無線端末に常駐することができ、スケジューリング・マップは無線端末３０からＬＴＥネットワーク２２−１に送信される。代わって、この制御手順は無線端末３０とＬＴＥネットワーク２２−１の両方に位置することができ、ＬＴＥネットワーク２２−１がそれ専用の内部セットのスケジューリング・マップを導出するように、無線端末３０は変数及び静的パラメータのすべて又はサブセットをＬＴＥネットワーク２２−１に送信する。無線端末からの入力を使用するこの代替例では、ＬＴＥシステムは、すでに導出され、無線端末内に記憶されているスケジューリング・マップと同一になるようにそのスケジューリング・マップを導出する。３ＧＰＰにおける広域移動通信システム（ＧＳＭ）に関する規格の説明とともに本明細書に記載されているようにこの１組の入力パラメータは唯一のスケジューリング・マップを明確に定義するので、これは可能なことである。
【００５８】
図７は、２つの無線アクセス技術ネットワーク（例えば、ＬＴＥネットワーク２２−１及びＧＳＭネットワーク２２−２）を含み、無線端末と２つのネットワークとの間の多重化伝送に複数入力依存スケジューリング・マップ４０−ｘ−７が使用される、通信システムの各部分を示している。図７に示されているように、ｅＮｏｄｅＢ２８−１及び無線端末３０は本質的に図６のもの及びその変形に似ているが、無線端末３０用の複数入力依存スケジューリング・マップ４０−０−７及びｅＮｏｄｅＢ２８−１用の複数入力依存スケジューリング・マップ４０−１−７に対する参照を含む。さらに図７は、パラメータベースのスケジューリング・マップ・ジェネレータ４６−７を含むものとして無線端末３０を示している。パラメータベースのスケジューリング・マップ・ジェネレータ４６−７は、無線端末３０によって使用され、無線端末３０によってＬＴＥネットワーク２２−１に送信される複数入力依存スケジューリング・マップ４０−０−７を生成するために複数の変数又はパラメータを使用する。従って、図７Ａの実施形態及び態様の例では、パラメータベースのスケジューリング・マップ・ジェネレータ４６−７によって生成された複数入力依存スケジューリング・マップ全体は無線端末３０によって使用されるだけでなく、ｅＮｏｄｅＢ２８−１に送信される。
【００５９】
図７Ｂの実施形態及び態様の例では、無線端末３０はその複数入力依存スケジューリング・マップ４０−０−７全体をｅＮｏｄｅＢ２８−１に送信しないが、パラメータベースのスケジューリング・マップ・ジェネレータ４６−７は複数入力依存スケジューリング・マップを生成するために使用される複数の入力を受信する。この目的のために、図７Ｂは、パラメータベースのスケジューリング・マップ・ジェネレータ５６−１−７を含むものとしてｅＮｏｄｅＢ２８−１をさらに示している。複数入力依存スケジューリング・マップを構築するためにパラメータベースのスケジューリング・マップ・ジェネレータ４６−７によって使用される入力のうちのいくつかは（図７Ｂに矢印で示されている通り）無線端末から受信することができる。代わって、その入力のうちの一部又は全部はそれぞれのネットワーク２２−１及び２２−２から信号送信する際に受信することができる。ｅＮｏｄｅＢ２８−１のパラメータベースのスケジューリング・マップ・ジェネレータ５６−１−７によって取得されるスケジューリング・マップ生成入力は、複数入力依存スケジューリング・マップ４０−１−７を構築するために使用される。
【００６０】
本明細書に記載されている他の実施形態のように、複数入力依存スケジューリング・マップ又は任意の他の用語で記述されたスケジューリング・マップに言及する場合、アップリンク（ＵＬ）スケジューリング・マップ及びダウンリンク（ＤＬ）スケジューリング・マップのうちの一方又は両方を包含する。従って、１つのスケジューリング・マップが記載されている場合、アップリンク（ＵＬ）及びダウンリンク（ＤＬ）の両方のスケジューリング・マップが存在する可能性があり、スケジューリング・マップの生成、利用、及び／又は伝達は、上述のスケジューリング・マップによって総称的に記述されているアップリンク（ＵＬ）及びダウンリンク（ＤＬ）の両方のスケジューリング・マップの生成、利用、及び／又は伝達を包含できることは言うまでもない。
【００６１】
図８は、複数入力依存スケジューリング・マップの生成のために複数の入力を受信する図７Ａのスケジューリング・マップ・ジェネレータ４６−７（及び図７Ｂのスケジューリング・マップ・ジェネレータ５６−１−７などのノードのスケジューリング・マップ・ジェネレータ）を描写している。スケジューリング・マップ・ジェネレータ４６−７及びスケジューリング・マップ・ジェネレータ５６−１は、複数の入力パラメータ又は変数を受信した時にコード化された非過渡的論理命令又はアルゴリズムを実行するプロセッサ又は回路を含むことができる。図８によって示されているように、複数入力依存スケジューリング・マップを生成するために使用される変数又はパラメータは、表１に列挙されているもののうちの２つ以上を含むことができる。
【表１】
2013514709.tif 000003
【００６２】
表１に列挙されている様々な入力について、以下に簡単に述べる。
【００６３】
オフセット遅延（可変）：  無線端末はＬＴＥ伝送時間間隔（ＴＴＩ）とＧＳＭのトラフィック・マルチフレームの開始との間のタイミング差を測定しなければならない。このタイミング差は図９に示されているオフセット値である。
【００６４】
保護遅延（静的）は、ＧＳＭとＬＴＥ  ＲＸ／ＴＸとの間で切り替えるためにｗｔが必要とする遅延の量である。図１０は、それがＬＴＥ  ＴＴＩを使用できるまでＧＳＭタイムスロットの使用から切り替えるために無線機が必要とする時間が保護遅延であることを示している。
【００６５】
タイムスロット番号（可変）は、音声呼び出しに使用されるタイムスロット（ＴＳ０〜ＴＳ７）である。このデータは呼び出し内で変化する可能性があり、従って、ハンドオーバなどのために新しいスケジューリング・マップを導出して送信しなければならない。
【００６６】
ＧＳＭ  ＵＬ／ＤＬ伝送間の時間遅延（静的）：  ＧＳＭのＵＬ伝送とＤＬ伝送は３つのタイムスロット（〜１．７３ｍｓ）によって分離される。これは、好ましくは、ＵＥ  ＬＴＥ  ＲＸ及びＵＥ  ＬＴＥ  ＴＸスケジューリング・マップを導出する時に考慮に入れられる。
【００６７】
ハーフレート・コーデック又はフルレート・コーデック（半静的）：  運営者がハーフレート・コーデックを使用する場合、ＴＤＭＡフレームは１つおきに使用されず、従って、１つおきにＬＴＥ伝送に使用することができる。この設定は、運営者の方針次第で時刻ごとに様々になる可能性がある。図１１は、ＴＤＭＡフレーム・レベルのハーフレート・コーデック伝送パターンを示している（黒いタイムスロットは伝送を描写している）。
【００６８】
デュアル受信機又は単一受信機（静的）：  一実施形態例では、無線端末はデュアル受信機構造を使用する（即ち、ＧＳＭとＬＴＥを並行して受信することができる）。その場合、無線端末ＬＴＥ  ＲＸスケジューリング・マップは、無線端末におけるデータ又は制御メッセージの受信のためにすべて（又はほとんどすべて）のＬＴＥ  ＴＴＩの使用を可能にすることができる。デュアル受信機の場合、１つの送信機のみが使用され、ＬＴＥ及びＧＳＭ伝送間の無線端末時分割多重化はこの１つの送信機ユニットを使用すると仮定することができる。
【００６９】
時分割法、タイムスロット・レベル、又はＴＤＭＡレベル（静的）：  受信及び送信ＬＴＥデータをタイムスロット間に適合させることができる時分割法（タイムスロット間で〜４．０４ｍｓｅｃを使用することができる）。保護遅延が極めて高い場合、おそらく実用的な方法は、ハーフレート・コーデックを実行し、その代わりに空のＴＤＭＡフレームでＬＴＥ受信及び送信を実行することである。
【００７０】
上述の通り、図８は、スケジューリング・マップを導出するために複数入力を使用する制御手順の図表現を示している。図１２は、どのＬＴＥ  ＴＴＩをＬＴＥ送信又は受信に使用できるかを示す、無線端末ＬＴＥ  ＲＸ及び無線端末ＬＴＥ  ＴＸスケジューリング・マップの図表現を示している。
【００７１】
無線端末ＬＴＥ  ＴＸ及び無線端末ＬＴＥ  ＲＸスケジューリング・マップ又はスケジューリング・マップを作成するための入力パラメータは、ＧＳＭ呼び出しセットアップに併せてＬＴＥネットワークに送信される。ＧＳＭ呼び出しが終了した後、無線端末は、無線端末ＬＴＥ  ＴＸ及び無線端末ＬＴＥ  ＲＸスケジューリング・マップがもはやＬＴＥ伝送への使用に有効ではないことをＬＴＥシステムに対して示す。
【００７２】
上述の通り、スケジューリング・マップ（例えば、６０／１２０倍ＴＴＩ長スケジューリング・マップ）は、取り消されるか又は更新されるまで定期的に使用される。しかし、例えば、制御手順が無線端末ＬＴＥ  ＴＸ及び／又は無線端末ＬＴＥ  ＲＸスケジューリング・マップを生成した結果として、入力パラメータが変化した場合、無線端末ＬＴＥ  ＴＸ及び／又は無線端末ＬＴＥ  ＲＸスケジューリング・マップは再計算される。従って、実施形態及び態様の一例によれば、本明細書で開示される技術は、適応的に再生可能なスケジューリング・マップ、例えば、１つ又は複数の入力変数又はパラメータの変化が発生した時にスケジューリング・マップの少なくとも一部分を再生するための方法及び装置にさらに関係する。
【００７３】
図１３は、２つの無線アクセス技術ネットワーク（例えば、ＬＴＥネットワーク２２−１及びＧＳＭネットワーク２２−２）を含み、無線端末と２つのネットワークとの間の多重化伝送に適応的に再生可能なスケジューリング・マップ４０−ｘ−１３が使用される、通信システムの各部分を示している。図１３に示されているように、基地局２８−２、ｅＮｏｄｅＢ２８−１、及び無線端末３０は本質的に図６のもの及びその変形に似ているが、無線端末３０用の適応的に再生可能なスケジューリング・マップ４０−０−１３及びｅＮｏｄｅＢ２８−１用の適応的に再生可能なスケジューリング・マップ４０−０−１３に対する参照を含む。さらに図１３は、適応的に再生可能なスケジューリング・マップ・ジェネレータ５６−１３及びパラメータ取得ユニット７０を含むものとして無線端末３０を示している。パラメータ取得ユニット７０は、スケジューリング・マップを生成するために使用される入力変数又はパラメータのいずれかの変化に関する信号を検出又は受信する。パラメータ取得ユニット７０によって検出又は認識された任意の変更された入力変数又はパラメータ値はスケジューリング・マップ・ジェネレータ５６−１３に加えられ、次にそのスケジューリング・マップ・ジェネレータが適応的に再生可能なスケジューリング・マップを再生又は再計算する。
【００７４】
図１３Ａは、適応的に再生可能なスケジューリング・マップが無線端末によって生成され、本質的に適応的に再生可能なスケジューリング・マップ全体が無線端末からｅＮｏｄｅＢ２８−１に伝達される、図１３のシステムの一実現例を示している。図１３Ｂは、適応的に再生可能なスケジューリング・マップが無線端末によって生成され、ｅＮｏｄｅＢ２８−１が更新されたパラメータを使用して、その適応的に再生可能なスケジューリング・マップ全体についてそれ専用のバージョンを更新する、図１３のシステムの異なる一実現例を示している。
【００７５】
従って、図１３の実施形態及び態様並びにその変形／実現例に関連して理解されるように、（図１３Ａのように）適応的に再生可能なスケジューリング・マップが無線端末で再計算されてＬＴＥネットワークに送信される場合もあれば、（図１３Ｂのように）スケジューリング・マップを作成するための入力パラメータがそのスケジューリング・マップを再計算するＬＴＥネットワークに送信される。これが行われる可能性があるイベントの１つは、ＧＳＭ音声伝送に使用されるタイムスロットが変更される可能性のあるハンドオーバである。入力パラメータ及びその結果としてスケジューリング・マップの更新をトリガする可能性のあるもう１つのイベントは、変更されたタイミング進行のためにオフセット遅延が変化するようにＧＳＭ無線基地局からそれ自体を遠ざける無線端末の移動である。
【００７６】
ＬＴＥアップリンク（ＵＬ）スケジューリングのシナリオ例は図１４に示されている。送信すべきパケットがある場合、無線端末はスケジューリング要求（ＳＲ）を送信する。最低限４ｍｓ（又はスケジューリング遅延が可変であるのでそれより長い時間）後に、ｅＮｏｄｅＢは許可（Ｇ）を伝送し、正確に４ｍｓ（固定値）後に発生する伝送時間間隔（ＴＴＩ）で特定のサイズのパケットを送信する権利を無線端末に与える。データがｅＮｏｄｅＢで適切に受信されない場合、データ伝送試行の４ｍｓｅｃ後にＮＡＣＫ（Ｎ）が送信される。これは、４ｍｓｅｃ後の再伝送（Ｒ）をトリガするものである。上記の例では、この伝送は成功しており、従って、４ｍｓ後にＡＣＫ（Ａ）が送信される。
【００７７】
スケジューリング・マップを使用する場合、例えば、ＬＴＥ伝送の４ｍｓｅｃ後に、無線端末がＧＳＭ音声データを受信又は送信するためにＧＳＭ上で同調させることができるので、この固定タイミングは変更される。その場合、しかも無線端末が単一受信機無線端末である場合、このＬＴＥ伝送に関するＡＣＫ／ＮＡＣＫを受信することができない。その場合、無線端末は、ＬＴＥ伝送が成功しておらず、ＬＴＥデータを再伝送することになるものと想定しなければならない。
【００７８】
従って、本明細書で開示される技術の一態様によれば、ＬＴＥタイミングは変更される。無線端末及びｅＮｏｄｅＢはどちらも無線端末ＬＴＥ  ＲＸ及び無線端末ＬＴＥ  ＴＸスケジューリング・マップを使用する。スケジューリング・マップを使用する際に、無線端末及びｅＮｏｄｅＢは、無線端末がＧＳＭ送信／受信に同調されるＴＴＩを除外し、許可、伝送、ＡＣＫ／ＮＡＣＫ、及び再伝送間に４ＴＴＩという固定タイミングを使用する。次に、この手順の一例について、図１５の動作に関連してより詳細に説明する。
【００７９】
第１に、動作１５−１として、アクセス分割多重化（ＡＤＭ）（例えば、ＧＳＭ及びＬＴＥ多重化）に関与する無線端末は、無線端末ＬＴＥ  ＴＸスケジューリング・マップに応じてＬＴＥ伝送が許可される時間内にスケジューリング要求（ＳＲ）を送信する。第２に、動作１５−２として、ネットワークは１つの入力として無線端末ＬＴＥ  ＲＸスケジューリング・マップを使用して、無線端末に許可を送信するために適した時間を決定する。この許可はスケジューリング要求（ＳＲ）より少なくとも４ｍｓ後に行われる。第３に、動作１５−３として、無線端末は許可を受信し、ＬＴＥ  ＴＸスケジューリング・マップを使用して、ＬＴＥデータを送信すべき時期を決定する。送信された無線端末ＬＴＥ  ＴＸスケジューリング・マップに応じて４ｍｓでＬＴＥデータを無線端末が送信するために使用すべきＬＴＥ  ＴＴＩが存在する場合、ＬＴＥデータはそのＴＴＩで送信される。そうではない場合、無線端末ＬＴＥ  ＴＸスケジューリング・マップでＬＴＥデータを無線端末が送信するために次のＬＴＥ  ＴＴＩを使用することができる。無線端末とｅＮｏｄｅＢはどちらもこの無線端末ＬＴＥ  ＴＸスケジューリング・マップを備えているので、どちらもどのＴＴＩがＬＴＥ伝送に使用されるかを把握している。第４に、動作１５−４として、ネットワークは、送信された無線端末ＬＴＥ  ＲＸスケジューリング・マップに応じて、４ｍｓｅｃ（無線端末ＬＴＥ  ＲＸスケジューリング・マップに応じて可能なＬＴＥ受信に対応する場合）又は無線端末が受信できる次に可能なＬＴＥ  ＴＴＩのいずれかでＬＴＥ  ＵＬ伝送に関するＡＣＫ／ＮＡＣＫを送信する。第５に、動作１５−５として、無線端末は、ＵＬ伝送に関するＡＣＫ／ＮＡＣＫが４ｍｓｅｃ又は無線端末がＬＴＥデータを受信できる次のＬＴＥ  ＴＴＩで受信されることを理解し、従って、制御は無線端末ＬＴＥ  ＲＸスケジューリング・マップに応じて行われる。
【００８０】
ｅＮｏｄｅＢは、無線端末ＬＴＥ  ＴＸスケジューリング・マップより無線端末ＬＴＥ  ＲＸスケジューリング・マップの方が多くのＴＴＩが存在する可能性がある（又はその逆も同様である）ことを理解しなければならない。一例は、デュアル受信機手法の場合に、ＬＴＥ送信よりＬＴＥ受信の方がより多くの可能なＴＴＩが存在することになることである。
【００８１】
無線端末がＬＴＥにより送信すべき大量のデータを有する場合、無線端末はバッファ状況レポート（ＢＳＲ）を送信することになる。図１５に示されているように、バッファ状況レポート（ＢＳＲ）は、無線端末が新しいスケジューリング要求（ＳＲ）を送信する必要なしに、その後の／次のＴＴＩでＬＴＥデータを送信する権利を無線端末に許可するようＬＴＥネットワークをトリガする。
【００８２】
ＧＳＭ及びＬＴＥ時分割多重化において、無線端末ＬＴＥ  ＲＸ及び無線端末ＬＴＥ  ＴＸスケジューリング・マップが使用されている場合、無線端末ＬＴＥ  ＲＸスケジューリング・マップに応じて許可を送信しなければならない。しかし、送信される許可の量は無線端末ＬＴＥ  ＴＸスケジューリング・マップに示されている可能な伝送数より多くてはならない。デュアル受信機無線端末の場合であって、無線端末ＬＴＥ  ＲＸスケジューリング・マップがすべてのＴＴＩでＬＴＥデータ又は制御を受信する可能性を示している場合、ｅＮｏｄｅＢはすべてのＴＴＩで許可を送信することができるであろう。しかし、無線端末は無線端末ＬＴＥ  ＴＸスケジューリング・マップに応じてこれらの許可のうちの特定のパーセンテージに関するデータしか送信できないので、これは浪費になるであろう。
【００８３】
このため、ＬＴＥ無線アクセスネットワーク２２−１は、最低限（ａ）送信に使用できるＬＴＥ  ＴＴＩの数及び（ｂ）ＬＴＥ受信に使用できるＬＴＥ  ＴＴＩの数より多くのＬＴＥ  ＴＴＩでのデータの送信を許可してはならない。
【００８４】
ネットワーク２２−２が広域移動通信システム（ＧＳＭ）ネットワークである諸実施形態では、ＧＳＭネットワークは幸いにも、無線端末３０及びＬＴＥネットワーク、例えば、ノード２８−１で何が発生しているかに気付いていない。広域移動通信システム（ＧＳＭ）システムが無線端末３０とＬＴＥネットワーク２２−１の間で調整されたスケジューリングにとって本質的に明白なものになるようにすることにより、ＧＳＭシステム及びそのレガシー・コンポーネントは有利なことに、ロング・ターム・エボリューション（ＬＴＥ）及びアクセス分割多重化（ＡＤＭ）の導入によってアップグレード又はその他の影響を受ける必要がなくなる。このため、ＧＳＭはそれ自体のスケジューリング及び伝送を独立して実行する。その上、ＧＳＭフレーム構造は、音声フレームの正規伝送によって回線交換され、非常に厳格なものであり、このため、任意のスケジューリング・マップに従うために要求されるフレキシビリティには適さないものであり、特に、他のＧＳＭ無線端末（ＧＳＭ専用レガシー無線端末）は同じ周波数の古いパターンに応じてＡＤＭ／ＧＳＭモバイルと並行してスケジューリングできるものとするという制約がある。
【００８５】
従って、本明細書で開示される技術は多数の様相及び特徴を包含するものであり、そのうちのいくつかについては上記の諸実施形態及び態様に関連してすでに説明されている。それぞれの実施形態及び態様は必ずしも単独で存在するわけではなく、異なる諸実施形態及び態様の特徴又は様相は相互に組み合わせることができることを理解されたい。例えば、６０／１２０倍ＴＴＩ長スケジューリング・マップの技術は複数入力依存の技術及び／又は適応的再生可能性の技術、或いはさらに他の変形及び組み合わせと組み合わせることができる。その上、上記で強調されているように、それぞれの実施形態は多方向スケジューリング・マップを使用することができる（例えば、アップリンク（ＵＬ）スケジューリング・マップとダウンリンク（ＤＬ）スケジューリング・マップの両方を使用することができる）。
【００８６】
本明細書に記載されているか又は本明細書によって包含される特徴は以下の通りである。
−  ＬＴＥ及びＧＳＭ送信／受信を多重化するためにそれぞれが６０又は１２０個のＬＴＥ  ＴＴＩの倍数である長さを有するスケジューリング・マップを導出する無線端末
−  本明細書に記載された複数入力情報のうちの一部又は全部を使用してスケジューリング・マップを導出する無線端末
−  ＬＴＥ  ＴＴＩを送信できる場合のための１つと、ＬＴＥ  ＴＴＩを受信できる場合のための１つという２つのスケジューリング・マップを導出し、この情報（２つのスケジューリング・マップ）をＬＴＥネットワークに送信する無線端末
−  ＬＴＥ及びＧＳＭ送信／受信を多重化するという用途のためにそれぞれが６０又は１２０個のＬＴＥ  ＴＴＩの倍数である長さを有するスケジューリング・マップを導出するＬＴＥ無線アクセスネットワーク（ＲＡＮ）
−  本明細書に述べられている情報のうちの一部又は全部を使用してスケジューリング・マップを導出し、その情報のうちの少なくとも一部を無線端末から受信している（おそらくその情報の一部分のみが無線端末から受信される）ＬＴＥ無線アクセスネットワーク（ＲＡＮ）
−  無線端末から入力パラメータを受信し、その入力パラメータを使用して、無線端末がＬＴＥ  ＴＴＩを送信できる場合のための１つと、無線端末がＬＴＥ  ＴＴＩを受信できる場合のための１つという２つのスケジューリング・マップを導出するＬＴＥ無線アクセスネットワーク（ＲＡＮ）
−  スケジューリング要求（ＳＲ）を送信すべきＴＴＩを決定する時に無線端末ＬＴＥ  ＴＸスケジューリング・マップを考慮に入れる無線端末
−  アップリンク（ＵＬ）でデータを送信することを無線端末に許可すべき時期を決定する時に無線端末ＬＴＥ  ＲＸスケジューリング・マップを考慮に入れるＬＴＥ無線アクセスネットワーク（ＲＡＮ）
−  許可が送信された時期及び無線端末ＬＴＥ  ＴＸスケジューリング・マップ次第で、ＬＴＥ  ＵＬデータ伝送を行える時期を計算するために無線端末ＬＴＥ  ＴＸスケジューリング・マップを考慮に入れる、無線端末及びＬＴＥ無線アクセスネットワーク（ＲＡＮ）
−  ＬＴＥ  ＵＬデータ伝送のＡＣＫ／ＮＡＣＫを行える時期（これは、ＬＴＥ  ＵＬ送信が送信された時期及び無線端末ＬＴＥ  ＲＸスケジューリング・マップに依存する）を計算するために無線端末ＬＴＥ  ＲＸスケジューリング・マップを考慮に入れる、無線端末及びＬＴＥ無線アクセスネットワーク（ＲＡＮ）
−  ＧＳＭ及びＬＴＥ多重化においてバッファ状況レポート（ＢＳＲ）を受信する場合、無線端末がどのＴＴＩをＬＴＥ伝送に使用できるかを決定する時に無線端末ＬＴＥ  ＲＸ及び無線端末ＬＴＥ  ＴＸの両方のスケジューリング・マップを考慮に入れるＬＴＥ無線アクセスネットワーク（ＲＡＮ）。ＬＴＥ  ＲＡＮは、最低限（１）送信に使用できるＬＴＥ  ＴＴＩの数及び（２）ＬＴＥ受信に使用できるＬＴＥ  ＴＴＩの数より多くのＬＴＥ  ＴＴＩでのデータの送信を許可しない。
−  入力パラメータのいずれかが変更された時にスケジューリング・マップを再計算する無線端末
−  再計算されたスケジューリング・マップをＬＴＥ  ＲＡＮに送信するか又は変更された入力パラメータを送信する無線端末
−  変更された入力パラメータを受信した場合にスケジューリング・マップを再計算するＬＴＥネットワーク
【００８７】
本技術の利点の例としては、ＧＳＭ音声伝送間にＬＴＥデータ伝送を行うことができる時期を記述する無線端末ＬＴＥ  ＲＸ及び無線端末ＬＴＥ  ＴＸスケジューリング・マップを導出するための機能性の追加を含む。また、本技術は、ＧＳＭ回線交換（ＣＳ）呼び出しにおいてＬＴＥデータ移送を多重化する時に結果的に著しく大きいＬＴＥスループットが得られるようなＬＴＥアップリンク・スケジューリングにおける固定タイミングで問題に対処する。
【００８８】
上記の説明は多くの指定を含むが、これらは本発明の範囲を制限するものとして解釈すべきではなく、単に本発明の現在好ましい諸実施形態のうちのいくつかの例示を提供するものとして解釈すべきである。従って、本発明の範囲は当業者にとって明白なものになる可能性のある他の諸実施形態を完全に包含し、それに応じて本発明の範囲は過度に制限されるべきであることが認識されるであろう。ある要素が単数形で言及される場合、明示的にそのように表明されない限り、「唯一のもの」を意味するものではなく、むしろ「１つ又は複数のもの」を意味するものである。上記の好ましい諸実施形態の要素と構造上、化学的、及び機能的に同等のものであって、当業者にとって既知のものはいずれも、明白に取り入れられ、本明細書によって包含されるものである。その上、本明細書によって包含されるために、ある装置又は方法が本発明によって解決されようとしているすべての問題に対処する必要はない。
【図１Ａ】
2013514709.tif 000004
【図１Ｂ】
2013514709.tif 000005
【図２Ａ】
2013514709.tif 000006
【図２Ｂ】
2013514709.tif 000007
【図２Ｃ】
2013514709.tif 000008
【図３】
2013514709.tif 000009
【図４】
2013514709.tif 000010
【図５】
2013514709.tif 000011
【図６】
2013514709.tif 000012
【図６Ａ】
2013514709.tif 000013
【図６Ｂ】
2013514709.tif 000014
【図７】
2013514709.tif 000015
【図７Ａ】
2013514709.tif 000016
【図７Ｂ】
2013514709.tif 000017
【図８】
2013514709.tif 000018
【図９】
2013514709.tif 000019
【図１０】
2013514709.tif 000020
【図１１】
2013514709.tif 000021
【図１２】
2013514709.tif 000022
【図１３】
2013514709.tif 000023
【図１３Ａ】
2013514709.tif 000024
【図１３Ｂ】
2013514709.tif 000025
【図１４】
2013514709.tif 000026
【図１５】
2013514709.tif 000027
【国際調査報告】
2013514709.tif 000028
2013514709.tif 000029
2013514709.tif 000030